(57)【要約】【課題】  本発明は、連続された各停止映像により動映像効果を奏し得るイメージ伝送装置及びその方法を提供することを目的とする。【解決手段】  本発明に係る移動通信端末機のイメージ伝送装置においては、イメージ伝送のための全般的な動作を制御する制御部と、該前記制御部が指示した撮影モードに対象物を連続撮影する撮影部と、該撮影された停止映像を前記制御部の指示によって処理してＭＭＳメッセージを生成するＭＭＳ生成部と、該生成されたＭＭＳメッセージを伝送する無線部と、を包含して構成されることを特徴とする。【選択図】  図１
2005278151.tif 000002
【特許請求の範囲】
【請求項１】
イメージ伝送のための全般的な動作を制御する制御部と、
該前記制御部が指示した撮影モードに対象物を連続撮影する撮影部と、
該撮影された停止映像を前記制御部の指示によって処理してＭＭＳメッセージを生成するＭＭＳ生成部と、
該生成されたＭＭＳメッセージを伝送する無線部と、を包含して構成されることを特徴とする移動通信端末機のイメージ伝送装置。
【請求項２】
前記ＭＭＳ生成部にＳＭＩＬ（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ）を提供するプログラム部を追加して包含することを特徴とする請求項１記載の移動通信端末機のイメージ伝送装置。
【請求項３】
前記生成されたＭＭＳメッセージをディスプレイする入出力部を追加して包含することを特徴とする請求項１記載の移動通信端末機のイメージ伝送装置。
【請求項４】
前記ＭＭＳ生成部は、前記ＳＭＩＬを使用して停止映像をスライド処理することを特徴とする請求項１記載の移動通信端末機のイメージ伝送装置。
【請求項５】
前記ＭＭＳメッセージは、ユーザーの望む時間単位にディスプレイされることを特徴とする請求項１記載の移動通信端末機のイメージ伝送装置。
【請求項６】
被写体を連続撮影する過程と、
該撮影された停止映像を処理してＭＭＳメッセージを生成する過程と、
該生成されたＭＭＳメッセージを無線送信する過程と、を順次行うことを特徴とする移動通信端末機のイメージ伝送方法。
【請求項７】
前記ＭＭＳメッセージは、ＳＭＩＬにより作成されることを特徴とする請求項６記載の移動通信端末機のイメージ伝送方法。
【請求項８】
前記ＭＭＳメッセージは、スライド形態のイメージであることを特徴とする請求項６記載の移動通信端末機のイメージ伝送方法。
【発明の詳細な説明】
【技術分野】
【０００１】
本発明は、移動通信端末機のイメージ伝送に係るもので、詳しくは、連続された各停止映像に動映像の効果を奏し得るイメージ伝送装置及びその方法に関するものである。
【背景技術】
【０００２】
一般に、移動通信端末機（ＵＥ：Ｕｓｅｒ  Ｅｑｕｉｐｍｅｎｔ）は、通信システムに加入及び登録されて、基地局（ＢＳ）が形成するサービス領域（Ｓｅｒｖｉｃｅ  Ａｒｅａ）の内部で移動交換局（ＭＳＣ：Ｍｏｂｉｌｅ  Ｓｗｉｔｃｈｉｎｇ  Ｃｅｎｔｅｒ）の監視、制御及びスイッチングにより設定された通信経路を経由して、いつどこでも所望の相手と無線通信を遂行し得る通信機器である。
【０００３】
ところが、移動通信端末機は、通信時間より通信のために待機したり携帯する時間がより多い。従って、移動通信サービス事業者は、移動通信端末機の利用率を高めて、使用者に使用の便利性を提供するために色々な付加サービスを開発して提供している。一例として、移動通信サービス事業者は、無線インターネット接続、文字メッセージの伝送、マルチメディアメッセージの伝送、無線オンラインゲームなどを使用者に提供し、移動通信端末機の製造社は、電話帳、メモ作成、メッセージ作成、スケジュール管理、ゲーム及びカメラなどのような付加機能を自社が開発して使用者に提供している。
【０００４】
上記のような各付加サービスの中においては、移動通信端末機のカメラ機能を利用して動映像及び停止映像を撮影及び貯蔵して、該貯蔵された映像を後で確認するか、又は無線に伝送し得るマルチメディアメッセージサービスがある。
【０００５】
従来の移動通信システムの機能においては、図４に示したように、移動通信端末機１１０は、基地局１２０が形成するサービス領域と他の基地局が形成するサービス領域を自由に移動しながら相手と無線通信を遂行する。この場合、通信の種類は、移動通信端末機が伝送する信号の種類によって決定されるが、普通、音声通信、文字メッセージ記号、数字及びグラフィック利用通信及びマルチメディア（映像信号と音声信号と文字信号が包含される）通信に区分される。
【０００６】
また、前記移動通信端末機１１０と通信する相手は、移動交換局ＭＳＣ１３０のスイッチング処理により設定された通信経路を通して通信網に接続されるが、若し、前記端末機が現在の通信網に加入された場合、には、自体設定された通信経路を通して通信網に接続されて、他の通信網に加入された場合、は、空中網１４０を通して前記通信網に接続される。
【０００７】
そして、前記二人の使用者間に行われる通信方式は、相手と実時間に通信するリアルタイム（ｒｅａｌ−ｔｉｍｅ）通信方式と、送信者が受信者にデータを送った場合、受信者が便利な時に確認する非実時間間ｎｏｎ−ｒｅａｌ−ｔｉｍｅ通信方式と、に区分し得るし、一般的に、リアルタイム通信方式が非実時間間通信方式より通信回線の占有による費用が高い。特に、リアルタイム通信方式においては、通信内容が長くなると、回線の占有時間が長くなり、非実時間間通信方式においては、伝送するデータの量が多い場合、回線の帯域幅が大きくなり複数の回線が同時に占有されて回線の占有時間が長くなるため、回線占有の費用がたくさんかかる。
【０００８】
移動通信システムにおいて、従来の移動通信端末機のイメ伝送方法においては、図５に示したように、入力装置（例：キーボード）を用いて撮影を要求する使用者の指示が入力されると、前記移動通信端末機１１０は、撮影手段（例：カメラ）を駆動して被写体を撮影して（Ｓ２１０）、該撮影された停止映像を指定された貯蔵領域に順次的に貯蔵する（Ｓ２２０）。次いで、使用者が前記貯蔵された停止映像の伝送を要求すると（Ｓ２３０）、前記移動通信端末機は、使用者が選択した特定停止映像を選択して受信者の固有番号（ＩＤ）を指定した後、伝送する（Ｓ２４０）、（Ｓ２５０）。
【０００９】
若し、使用者が他の停止映像を伝送する場合、（Ｓ２６０）、前記移動通信端末機は、他の各停止映像の中で使用者が選択した停止映像を選択して固有番号を指定した後、伝送する（Ｓ２５０）。従って、伝送しようとする停止映像が複数個である場合、使用者は、上記のような過程（Ｓ２４０−Ｓ２６０）を反復的に遂行するはずである。
【発明の開示】
【発明が解決しようとする課題】
【００１０】
然るに、従来には、ＭＭＳ（Ｍｕｌｔｉｍｅｄｉａ  Ｍｅｓｓａｇｉｎｇ  Ｓｅｒｖｉｃｅ）伝送する時に添付されるマルチメディアイメージ関連ファイルが停止イメージと動映像に限定されている。従って、前記停止イメージによっては連続的な変化情報を伝達するのに限界があって、動映像の場合、には、サイズが大きくなり送受信時に時間が長くなるだけではなく、通信費用がたくさんかかるという不都合な点があった。特に、従来には、複数の停止映像を伝送する場合、停止映像を頻繁に伝送しなければならないため、煩雑だけではなく、時間が長引くという不都合な点があった。
【００１１】
本発明は、上記の問題点に鑑みて成されたもので、連続された各停止映像により動映像効果を奏し得るイメージ伝送装置及びその方法を提供することを目的とする。
【課題を解決するための手段】
【００１２】
上記目的を達成するため、本発明に係る移動通信端末機のイメージ伝送装置においては、イメージ伝送のための全般的な動作を制御する制御部３１０と、該制御部３１０が指示した撮影モードに対象物を連続撮影する撮影部３００と、撮影された停止映像を前記制御部の指示によって処理してＭＭＳメッセージを生成するＭＭＳ生成部３４０と、該生成されたＭＭＳメッセージを伝送する無線部３５０と、を包含して構成されることを特徴とする。
【００１３】
また、本発明に係る移動通信端末機のイメージ伝送方法においては、被写体を連続撮影する過程と、該撮影された停止映像を処理してＭＭＳメッセージを生成する過程と、該生成されたＭＭＳメッセージを無線送信する過程と、を順次行うことを特徴とする。
【００１４】
項目１：イメージ伝送のための全般的な動作を制御する制御部と、
該前記制御部が指示した撮影モードに対象物を連続撮影する撮影部と、
該撮影された停止映像を前記制御部の指示によって処理してＭＭＳメッセージを生成するＭＭＳ生成部と、
該生成されたＭＭＳメッセージを伝送する無線部と、を包含して構成されることを特徴とする移動通信端末機のイメージ伝送装置。
【００１５】
項目２：前記ＭＭＳ生成部にＳＭＩＬ（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ）を提供するプログラム部を追加して包含することを特徴とする項目１記載の移動通信端末機のイメージ伝送装置。
【００１６】
項目３：前記生成されたＭＭＳメッセージをディスプレイする入出力部を追加して包含することを特徴とする項目１記載の移動通信端末機のイメージ伝送装置。
【００１７】
項目４：前記ＭＭＳ生成部は、前記ＳＭＩＬを使用して停止映像をスライド処理することを特徴とする項目１記載の移動通信端末機のイメージ伝送装置。
【００１８】
項目５：前記ＭＭＳメッセージは、ユーザーの望む時間単位にディスプレイされることを特徴とする項目１記載の移動通信端末機のイメージ伝送装置。
【００１９】
項目６：被写体を連続撮影する過程と、
該撮影された停止映像を処理してＭＭＳメッセージを生成する過程と、
該生成されたＭＭＳメッセージを無線送信する過程と、を順次行うことを特徴とする移動通信端末機のイメージ伝送方法。
【００２０】
項目７：前記ＭＭＳメッセージは、ＳＭＩＬにより作成されることを特徴とする項目６記載の移動通信端末機のイメージ伝送方法。
【００２１】
項目８：前記ＭＭＳメッセージは、スライド形態のイメージであることを特徴とする項目６記載の移動通信端末機のイメージ伝送方法。
【発明の効果】
【００２２】
本発明に係る移動通信端末機のイメージ伝送装置及びその方法においては、移動通信端末機は、動映像容量より少ない容量の連続停止映像をＳＭＩＬを利用して設定された時間単位にＭＭＳメッセージを生成し、該生成されたＭＭＳメッセージを受信者に伝送する。次いで、ＭＭＳメッセージをディスプレイするための装置が内蔵された受信者の端末機は、動映像を受信する時より少ない費用によりＭＭＳメッセージを受信して、動映像を受信することと同様な効果を得るという効果がある。そして、送信側においては、チャンネルの占有時間が短いため、通信費用が節減されるという効果がある。
【発明を実施するための最良の形態】
【００２３】
前記ＳＭＩＬは、Ｗ３Ｃ（Ｗｏｒｌｄ  Ｗｉｄｅ  Ｗｅｂ  Ｃｏｎｓｏｒｔｉｕｍ）で標準化された多重媒体のための総合言語であって、簡単ないくつのタグ（ｔａｇ）と属性（ａｔｔｒｉｂｕｔｅｓ）から成るＸＭＬ（Ｅｘｔｅｎｓｉｂｌｅ  Ｍａｒｋｕｐ  Ｌａｎｇｕａｇｅ）を基盤とする。前記ＳＭＩＬは、マルチメディアサービスを提供するために必要な技術を統合することで、より容易で、且つ效率的にマルチメディアコンテンツを製作し得るし、ストリーミング（Ｓｔｒｅａｍｉｎｇ）オーディオやビデオ、イメージ、テキストだけではなく、多様なメディアを包含する言語である。
【００２４】
前記Ｗ３Ｃは、上記のようなマルチメディアコンテンツ、ストリーミングオーディオやビデオ、イメージ、テキストだけではなく、プレゼンテーション機能を提供し得るＳＭＩＬをマルチメディア伝送標準言語で提示した。そして、前記ＳＭＩＬを使用して生成されるメッセージをＭＭＳメッセージという。
【００２５】
他の製造社で生産される使用者と受信者間のＭＭＳメッセージ送受信のためには、メッセージ内容、プレゼンテーション言語の許容された各各要素及び各属性、メディアコンテンツフォーマット、低いレベルの各受容性が必要である。
【００２６】
本発明に係るＭＭＳメッセージ構成においては、図１に示したように、夫々のスライドは、テキストと音声を包含することができる。夫々のマルチメディアメッセージは、ＳＭＩＬにより表現され得るし、該ＳＭＩＬにより表現されるための全ての各停止映像は、同様なレイアウトを持つ。
【００２７】
Ｗ３ＣのＳＭＩＬ明細書によると、ＭＭＳ  ＳＭＩＬの各要素は、下記の５種類のモジュールに構成されてＭＭＳメッセージを生成するための基本的な５種類のモジュールを持つ。
【００２８】
第１レイアウトモジュールは、下記の表に示したように、各ビジュアル構成要素の空間的なレイアウトのフレームを提供する。
【００２９】
【表１】
2005278151.tif 000003
ｒｏｏｔ−ｌａｙｏｕｔの各基本数値は、移動通信端末機ディスプレイ領域の数値であり、ピクセルとして表現される。
【００３０】
第２メディアオブジェクトモジュールは、メディアを表示するためのフレームＷＯＫＥＬ提供して、ＳＭＩＬプレゼンテーションのコンテンツを構成する。前記ＭＭＳ  ＳＭＩＬは、ＳＭＩＬ  Ｂａｓｉｃ  Ｍｅｄｉａモジュールの部分を包含する。
【００３１】
【表２】
2005278151.tif 000004
第３構造モジュールは、ＳＭＩＬ文書の構造を描写する。ＭＭＳ  ＳＭＩＬは、前記ＳＭＩＬ構造モジュールの下の表部分を適用する。
【００３２】
【表３】
2005278151.tif 000005
第４タイミングと同期モジュールは、タイミング構造、タイミング制御特性及び各要素間の時間関係を描写するためのフレームＷＯＫＥＬ提供する。
【００３３】
【表４】
2005278151.tif 000006
第５メタ情報モジュールは、ＳＭＩＬ文書を描写するために要素と属性を包含する。前記ＭＭＳメッセージは、ｍｅｔａ要素を使用することで、前記メッセージに含まれた、メタ情報を包含することができる。
【００３４】
【表５】
2005278151.tif 000007
以下、貼付した図面を参照して本発明の好ましい実施形態に対して説明する。
【００３５】
本発明に係る移動通信端末機のイメージ伝送装置においては、図１に示したように、撮影部３００と、制御部３１０と、メモリ３２０と、プログラム部３３０と、ＭＭＳ生成部３４０と、無線部３５０と、入出力部３６０と、を包含して構成されている。
【００３６】
また、前記制御部３１０は、前記撮影部３００を制御して撮影された対象物の停止映像を前記メモリ３２０に貯蔵して、該貯蔵された停止映像を出力するか、又は伝送する。
【００３７】
また、前記撮影部３００は、前記制御部３１０の制御下に、目的とする対象物を撮影して停止映像を生成する。
【００３８】
前記プログラム部３３０は、各ＳＭＩＬ応用プログラムを包含する複数応用プログラムを含んで、前記制御部３１０の命令によってこれらプログラムを駆動させる。
【００３９】
前記ＭＭＳ生成部３４０はＳＭＩＬを利用して、前記制御部３１０が指定した停止映像をＭＭＳメッセージに変換する。この時、ＭＭＳメッセージを構成する連続停止映像のディスプレイ時間の間隔は、前記制御部３１０により制御される。
【００４０】
前記入出力部３６０は、前記制御部３１０と接続され、マイク、スピーカー、キーボード及び表示部等を通して音声信号と文字、記号、数字、グラフィックなどを利用する文字信号、受信者の固有番号（ＩＤ）によるダイヤルリング信号などを入出力する。
【００４１】
前記マルチメディア通信のための映像信号は、前記撮影部３００を通して撮影され、前記入出力部３６０を構成する表示部を通してディスプレイされる。また、送信者により伝送される映像信号も表示部を通して確認することができる。
【００４２】
前記無線部３５０は、前記基地局１２０と接続した後、ＳＭＩＬを利用して生成されたＭＭＳメッセージを前記基地局１２０に無線送信する。
【００４３】
本発明に係る移動通信端末機のイメージ伝送方法においては、使用者が前記入出力部３６０を通して対象物を単一停止映像に撮影するか、又は連続停止映像に撮影するかを定める（Ｓ４００）。次いで、使用者は設定された撮影モード（Ｓ４１０、Ｓ４２０）によって対象物を撮影し（Ｓ４３０）、該撮影された停止映像は、前記メモリ３２０の割当された領域に貯蔵される（Ｓ４４０）。
【００４４】
使用者の意図によって前記撮影部３００が単一映像撮影モードに設定された場合（Ｓ４１０）において、使用者が前記単一映像撮影モードに対象物を撮影すると、それに係る停止映像を生成する。次いで、生成された停止映像の貯蔵及び伝送は従来と同一に遂行される。
【００４５】
反面、使用者の意図によって前記撮影部３００が停止映像連続撮影モードに設定された場合（Ｓ４２０）において、使用者が撮影時間の間隔を設定した後、前記連続停止映像撮影モードに対象物を撮影すると（Ｓ４３０）、前記撮影部３００は、設定された時間単位に対象物を連続停止映像に撮影して複数の連続停止映像を生成する。該撮影された連続停止映像は、前記制御部３１０の制御によって、前記メモリ３２０に貯蔵される（Ｓ４４０）。使用者が該貯蔵された連続停止映像を受信者に伝送しようとする場合（Ｓ４５０）、使用者は、選択メニューで伝送しようとする連続停止映像を選択する（Ｓ４６０）。前記メモリ３２０に貯蔵された前記選択された連続停止映像は、前記ＭＭＳ生成部３４０にローディングされる。該ローディングされた連続停止映像は、ＳＭＩＬを利用して（Ｓ４７０）ＭＭＳ情報に生成され、該生成された情報を利用して設定された時間単位にＭＭＳメッセージを生成する。連続停止映像に生成された前記ＭＭＳメッセージは、まるで一つの動映像効果を有する一つの停止映像である。前記生成されたＭＭＳメッセージを伝送するため、使用者は、受信者移動通信端末機の固有番号（ＩＤ）を指定した後、伝送する（Ｓ４８０）。該伝送されるＭＭＳメッセージは、前記制御部３１０の制御下に前記無線部３５０を通して基地局に伝送されて結局受信者に伝送される。
【００４６】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【産業上の利用可能性】
【００４７】
本発明により、イメージ伝送のための全般的な動作を制御する制御部と、該前記制御部が指示した撮影モードに対象物を連続撮影する撮影部と、該撮影された停止映像を前記制御部の指示によって処理してＭＭＳメッセージを生成するＭＭＳ生成部と、該生成されたＭＭＳメッセージを伝送する無線部と、を包含して構成されることを特徴とする、イメージ伝送装置が提供される。
【図面の簡単な説明】
【００４８】
【図１】本発明に係る移動通信端末機のイメージ伝送装置を示したブロック図である。
【図２】本発明に係る移動通信端末機のイメージ伝送方法を示した順序図である。
【図３】本発明に係る移動通信システムの機能構成を示した図である。
【図４】従来の移動通信端末機の映像撮影及び伝送方法を示した順序図である。
【図５】従来のスライド構成を示したブロック図である。
【符号の説明】
【００４９】
４００：撮影部
４１０：制御部
４２０：メモリ
４３０：プログラム部
４４０：ＭＭＳ生成部
４５０：無線部
４６０：入出力部
【図１】
2005278151.tif 000008
【図２】
2005278151.tif 000009
【図３】
2005278151.tif 000010
【図４】
2005278151.tif 000011
【図５】
2005278151.tif 000012